(57)【要約】【課題】注出口部を係止切欠き部に係止する操作を簡易に行えるようにすると共に、袋本体の全体をホルダーの内部に収容して意匠性を向上できる可撓性容器用ホルダーを提供する。【解決手段】天面部２４にポンプディスペンサー３０が装着される、二段の張出しフランジ２２ａ,２２ｂを備える注出口部２２が設けられた袋容器２０と組み合わせて用いるホルダーであって、筒状収容部１１と、張出しフランジ２２ａ,２２ｂが係止されるＵ字状切欠き係止部１５を備えるスライドキャップ部１４とを含んで構成される。筒状収容部１１は、上端開口面１１ａの両側に一対のスライド外側面１２を備える。スライドキャップ部１４は、スライド外側面１２の外幅と同様の内幅で配置された、一対のスライド内側面１７を備えると共に、天板部１６のＵ字状切欠き係止部１５への導入部１５ａが形成された一辺部の下方の側面領域が、側部開口面１４ａとなっている。【選択図】図３
2019172273.tif 000002
【特許請求の範囲】
【請求項１】
可撓性材料を用いて形成され、上端部に内容液を吐出させるディスペンサーが装着される注出口部が設けられた可撓性容器と、組み合わせて用いる可撓性容器用ホルダーであって、
前記可撓性容器の前記注出口部の外周部分には、外側に円環状に張り出して、二段の張出しフランジが、上下に間隔をおいて設けられており、
当該可撓性容器用ホルダーは、前記可撓性容器の容器本体が収容される筒状収容部と、前記注出口部の前記張出しフランジが係止されるＵ字状切欠き係止部を天板部に備えると共に、前記筒状収容部の上端部外周面に沿ってスライドして前記筒状収容部の上端部に着脱可能に一体として取り付けられる、スライドキャップ部とを含んで構成されており、
前記筒状収容部の上端部外周面は、前記筒状収容部の上端開口面を挟んだ両側に互いに平行に配置された、一対のスライド外側面を備えており、
前記スライドキャップ部は、前記一対のスライド外側面の外幅と同様の内幅で互いに平行に配置された、一対のスライド内側面を備える内周面形状を有していると共に、前記天板部の前記Ｕ字状切欠き係止部への導入部が形成された一辺部の下方の側面領域が、側部開口面となっており、
前記スライドキャップ部をスライドさせながら装着し、前記筒状収容部の前記一対のスライド外側面と前記スライドキャップ部の前記一対のスライド内側面とを重ね合わせた状態で、前記Ｕ字状切欠き係止部に係止した前記注出口部を前記天板部から上方に突出させて、前記可撓性容器の容器本体の全体が、前記スライドキャップ部の前記天板部によって上端開口面が覆われた前記筒状収容部の内部に収容される可撓性容器用ホルダー。
【請求項２】
前記可撓性容器は、可撓性を備えるシート材料を用いて形成された袋容器であり、前記注出口部は、前記袋容器の上端部に注出口部材を取り付けることによって設けられている請求項１記載の可撓性容器用ホルダー。
【請求項３】
前記筒状収容部の一対のスライド外側面の各々の下端縁部に沿って、前記スライドキャップ部のスライド方向を案内する線状ガイド部が、前記上端開口面と平行に延設して設けられており、前記スライドキャップ部の一対のスライド内側面の各々の下端縁部に沿って、前記線状ガイド部に案内される線状被ガイド部が、前記天板部と平行に延設して設けられている請求項１又は２記載の可撓性容器用ホルダー。
【請求項４】
前記Ｕ字状切欠き係止部は、係止される前記注出口部が納められる奥部収納部よりも前記導入部側に、両側の側縁部が前記注出口部の横幅と同様の間隔をおいて平行に延設するストレートガイド部を備えている請求項１〜３のいずれか１項記載の可撓性容器用ホルダー。
【請求項５】
前記Ｕ字状切欠き係止部の周縁部分は、二段に配置された係止フランジを有する二段構造を備えている請求項１〜４のいずれか１項記載の可撓性容器用ホルダー。
【請求項６】
前記Ｕ字状切欠き係止部の周縁部分の係止フランジには、前記Ｕ字状切欠き係止部の延設方向に延設するスペーサリブが、前記可撓性容器の前記注出口部の二段の張出しフランジの上下の間隔に応じた突出高さで、下面から下方に突出して設けられている請求項１〜４のいずれか１項記載の可撓性容器用ホルダー。
【請求項７】
前記スペーサリブにおける前記Ｕ字状切欠き係止部の前記導入部側の端部に、傾斜スロープ部が設けられている請求項６項記載の可撓性容器用ホルダー。
【請求項８】
前記スライドキャップ部の側面部の外側面に、間隔をおいて平行に配置されて縦方向に延設する、複数の滑止め用のリブが形成されている請求項１〜７のいずれか１項記載の可撓性容器用ホルダー。
【請求項９】
前記筒状収容部は、底抜き形状を備えている請求項１〜７のいずれか１項記載の可撓性容器用ホルダー。
【請求項１０】
前記筒状収容部は、前記一対のスライド外側面の上端までの高さが、前記可撓性容器の底部から前記注出口部の下段の前記張出しフランジの上面までの高さと、同様の高さを備えるように形成されている請求項１〜９のいずれか１項記載の可撓性容器用ホルダー。
【請求項１１】
前記筒状収容部は、前記一対のスライド外側面の上端までの高さが、前記袋容器の袋本体の底部から前記注出口部の下段の前記張出しフランジの上面までの高さと、同様の高さを備えるように形成されており、前記筒状収容部の上端から２〜８ｍｍ下方の領域の内周面から、０．５〜２ｍｍの高さで内側に突出して、周方向に延設する内リブが設けられており、前記袋容器の袋本体が前記筒状収容部に収容された際に、前記内リブが設けられた高さ位置、又は前記内リブに近接する高さ位置に、前記袋本体の上端部に接合された前記注出口部材の接合プレートが配置される請求項２記載の可撓性容器用ホルダー。
【請求項１２】
前記筒状収容部及び前記スライドキャップ部は、矩形状の平面形状を備えている請求項１〜１１のいずれか１項記載の可撓性容器用ホルダー。
【請求項１３】
前記筒状収容部の外周面に、立体加飾模様が施されている請求項１〜１２のいずれか１項記載の可撓性容器用ホルダー。
【発明の詳細な説明】
【技術分野】
【０００１】
本発明は、可撓性容器用ホルダーに関し、特に、天面部に注出口部が設けられた可撓性容器と組み合わせて用いる可撓性容器用ホルダーに関する。
【背景技術】
【０００２】
近年、環境負荷の低減や省資源化等を目的として、内容液を収容する容器として、容器本体がプラスチック製やガラス製等の硬質の容器からなるものに代えて、好ましくは可撓性を有する樹脂製のシート材料を用いて形成された、袋状の容器本体（袋本体）を備える袋容器が、可撓性容器として多用されている。このような袋容器等の可撓性容器では、容器本体の上端部に設けられた注出口部を介してディスペンサーを着脱可能に取り付けたものも知られている（例えば、特許文献１参照）。ディスペンサーは、内容液を容器から汲み上げて吐出させる公知の吐出具であり、吸上げ筒部、ノズルヘッド等を備えている。ディスペンサーは、例えば固定用のキャップ部を介して、可撓性容器の上端部に設けられた注出口部（口首部）に着脱可能に取り付けて用いられ、着脱可能となっていることで、可撓性容器を交換等しながら、繰り返し使用することが可能である。
【０００３】
また、可撓性容器にディスペンサーを装着して用いる場合、可撓性容器の容器本体は、軟質の柔らかいシート材料等の可撓性材料を用いて形成されており、ディスペンサーのノズルヘッドへの押し下げ力を、容器本体によって安定した状態で支持させることが困難なことから、特許文献１では、容器本体に設けられた注出口部を、例えば底板部と、底板部から立設して設けられた立設部と、立設部の上端部から張り出して設けられた、Ｕ字状の切欠き係止部を有する張出し係止部とを備える容器ホルダーに、着脱可能に装着して、この容器ホルダーによって押し下げ力を支持させるようになっている。
【先行技術文献】
【特許文献】
【０００４】
【特許文献１】実用新案登録第３０６６８３１号公報
【発明の概要】
【発明が解決しようとする課題】
【０００５】
軟質の柔らかい可撓性材料を用いて容器本体が形成された、ディスペンサーを装着して用いる袋容器等の可撓性容器は、ディスペンサーのノズルヘッドへの押し下げ力をホルダーによって支持させることで、内容液を吐出させる際の安定性を向上させることが可能になるが、その一方で、容器本体が柔らかくなっており、例えば可撓性容器をホルダーに装着する際の形状が安定しないことから、容器本体に設けられた注出口部をホルダーのＵ字状の切欠き係止部に係止する操作に手間がかかると共に、例えば形状が安定しないまま容器本体を露出させた状態で、可撓性容器がホルダーに装着されると、全体の意匠性が損なわれることになる。
【０００６】
また、可撓性材料からなる容器本体を露出させることなくその全体をホルダーの内部に収容することによって、意匠性を向上させることが可能になると考えられるが、容器本体の全体をホルダーの内部に収容する場合には、ホルダーに設けられたＵ字状の切欠き係止部に、容器本体に設けられた注出口部を係止する操作を簡易に行えるようにすると共に、容器本体の全体をホルダーの内部にスムーズに収容できるようにするための工夫が必要である。
【０００７】
本発明は、容器本体に設けられた注出口部をＵ字状の係止切欠き部に係止する操作を簡易に行えるようにすると共に、容器本体の全体をホルダーの内部にスムーズに収容して、全体の意匠性を向上させることのできる可撓性容器用ホルダーを提供することを目的とする。
【課題を解決するための手段】
【０００８】
本発明は、可撓性材料を用いて形成され、上端部に内容液を吐出させるディスペンサーが装着される注出口部が設けられた可撓性容器と、組み合わせて用いる可撓性容器用ホルダーであって、前記可撓性容器の前記注出口部の外周部分には、外側に円環状に張り出して、二段の張出しフランジが、上下に間隔をおいて設けられており、当該可撓性容器用ホルダーは、前記可撓性容器の容器本体が収容される筒状収容部と、前記注出口部の前記張出しフランジが係止されるＵ字状切欠き係止部を天板部に備えると共に、前記筒状収容部の上端部外周面に沿ってスライドして前記筒状収容部の上端部に着脱可能に一体として取り付けられる、スライドキャップ部とを含んで構成されており、前記筒状収容部の上端部外周面は、前記筒状収容部の上端開口面を挟んだ両側に互いに平行に配置された、一対のスライド外側面を備えており、前記スライドキャップ部は、前記一対のスライド外側面の外幅と同様の内幅で互いに平行に配置された、一対のスライド内側面を備える内周面形状を有していると共に、前記天板部の前記Ｕ字状切欠き係止部への導入部が形成された一辺部の下方の側面領域が、側部開口面となっており、前記スライドキャップ部をスライドさせながら装着し、前記筒状収容部の前記一対のスライド外側面と前記スライドキャップ部の前記一対のスライド内側面とを重ね合わせた状態で、前記Ｕ字状切欠き係止部に係止した前記注出口部を前記天板部から上方に突出させて、前記可撓性容器の容器本体の全体が、前記スライドキャップ部の前記天板部によって上端開口面が覆われた前記筒状収容部の内部に収容される可撓性容器用ホルダーを提供することにより、上記目的を達成したものである。
【発明の効果】
【０００９】
本発明の可撓性容器用ホルダーによれば、容器本体に設けられた注出口部をＵ字状の係止切欠き部に係止する操作を簡易に行えるようにすると共に、容器本体の全体をホルダーの内部にスムーズに収容して、全体の意匠性を向上させることができる。
【図面の簡単な説明】
【００１０】
【図１】本発明の好ましい第１実施形態に係る可撓性容器用ホルダーに、可撓性容器である袋容器を装着した状態の斜視図である。
【図２】本発明の好ましい第１実施形態に係る袋容器用ホルダーの分解斜視図である。
【図３】スライドキャップ部をスライドさせながら筒状収容部に装着する操作を例示する斜視図である。
【図４】スライドキャップ部の上面図である。
【図５】本発明の好ましい第１実施形態に係る可撓性容器用ホルダーと組み合わせて用いる、可撓性容器である袋容器を例示する側面図である。
【図６】（ａ）は、可撓性容器である袋容器の上端部に取り付けられる注出口部材の斜視図、（ｂ）は側面図である。
【図７】可撓性容器である袋容器の、注出口部材が取り付けられた上端部分の斜視図である。
【図８】スライドキャップ部をスライドさせながら筒状収容部に装着する、他の操作を例示する斜視図である。
【図９】本発明の好ましい第２実施形態に係る袋容器用ホルダーの要部分解斜視図である。
【図１０】スライドキャップ部の側部開口面側から見た斜視図である。
【図１１】本発明の好ましい第２実施形態に係る袋容器用ホルダーと組み合わせて用いる可撓性容器の斜視図である。
【図１２】袋容器用ホルダーの他の形態を例示する分解斜視図である。
【発明を実施するための形態】
【００１１】
図１〜図３に示す本発明の好ましい第１実施形態に係る可撓性容器用ホルダー１０は、可撓性容器として、好ましくは可撓性を備えるシート材料を用いて形成された袋容器２０を装着した状態で、袋容器２０と組み合わせて用いられる（図３参照）。袋容器２０は、内容液を収容する袋本体（容器本体）２１の上端部を形成する天面部２４に、ディスペンサー（吐出具）として例えばポンプディスペンサー３０が取り付けられて、ポンプディスペンサー付きの袋容器（図５参照）として用いられる。第１実施形態の可撓性容器用ホルダー１０は、袋容器２０に取り付けられたポンプディスペンサー３０の押圧操作部であるノズルヘッド３３を押し下げて、内容液を吐出させる際に、押し下げ力を支持するための支持部材として用いることができる。また、第１実施形態の袋容器用ホルダー１０は、可撓性を有する軟質の柔らかいシート材料を用いて形成された、形状が安定しない袋容器２０の袋本体２１を、これの全体を覆うようにして内部に収容することで、意匠性を向上させると共に、袋本体２１の全体を覆うようにして内部に収容する場合でも、袋本体２１に設けられた注出口部２２をＵ字状切欠き係止部１５に係止する操作を、簡易に行えるようにする機能を備えている。
【００１２】
そして、第１実施形態の可撓性容器用ホルダー１０は、可撓性材料として、好ましくは可撓性を備えるシート材料を用いて形成され、上端部となる天面部２４に、内容液を吐出させるポンプディスペンサー３０（図５参照）が装着される注出口部（口首部）２２が設けられた袋容器２０と、組み合わせて用いるホルダーである。可撓性容器である袋容器２０の注出口部２２の外周部分には、外側に円環状に張り出して、二段の張出しフランジ２２ａ，２２ｂが、上下に間隔をおいて設けられている。可撓性容器用ホルダー１０は、袋容器２０の袋本体２１が収容される筒状収容部１１と、注出口部（口首部）２２の張出しフランジ２２ａ，２２ｂが係止されるＵ字状切欠き係止部１５を天板部１６に備えると共に、筒状収容部１１の上端部外周面に沿ってスライドして筒状収容部１１の上端部に着脱可能に一体として取り付けられる、スライドキャップ部１４とを含んで構成されている。筒状収容部１１の上端部外周面は、筒状収容部１１の上端開口面１１ａを挟んだ両側に互いに平行に配置された、一対のスライド外側面１２を備えている。スライドキャップ部１４は、一対のスライド外側面１２の外幅と同様の内幅で互いに平行に配置された、一対のスライド内側面１７を備える内周面形状を有していると共に、天板部１６のＵ字状切欠き係止部１５への導入部１５ａが形成された一辺部の下方の側面領域が、側部開口面１４ａとなっている。スライドキャップ部１４をスライドさせながら装着し、筒状収容部１１の一対のスライド外側面１２とスライドキャップ部１４の一対のスライド内側面１７とを重ね合わせた状態で、Ｕ字状切欠き係止部１５に係止した注出口部２２を天板部１６から上方に突出させて、袋容器２０の袋本体２１の全体が、スライドキャップ部１４の天板部１６によって上端開口面１１ａが覆われた筒状収容部１１の内部に収容されるようになっている（図１参照）。
【００１３】
また、第１実施形態では、筒状収容部１１の一対のスライド外側面１２の各々の下端縁部に沿って、スライドキャップ部１４のスライド方向を案内する線状ガイド部１２ａが、上端開口面１１ａと平行に延設して設けられており、スライドキャップ部１４の一対のスライド内側面１７の各々の下端縁部に沿って、線状ガイド部１２ａに案内される線状被ガイド部１７ａが、天板部１６と平行に延設して設けられている。
【００１４】
さらに、第１実施形態では、スライドキャップ部１４の天板部１６に設けられたＵ字状切欠き係止部１５の周縁部分は、二段に配置された係止フランジ１９ａ，１９ｂを有する二段構造を備えており、袋容器２０の注出口部２２は、二段の係止フランジ１９ａ，１９ｂの各々に係止される二段の張出しフランジ２２ａ，２２ｂを備えている。
【００１５】
第１実施形態では、可撓性容器用ホルダー１０と組み合わせて用いる可撓性容器である袋容器２０は、図５に示すように、可撓性を備える軟質の柔らかいシート材料を用いて形成された袋本体２１と、袋本体２１の上端部に設けられた注出口部（口首部）２２とを含んで構成されている。袋容器２０の上端部は、袋本体２１の好ましくは天面シート２４ａによる天面部２４によって形成されている。注出口部（口首部）２２は、袋容器２０の上端部を形成する袋本体２１の天面部２４に、注出口部材２３（図６（ａ）、（ｂ）参照）を取り付けることによって、袋容器２０の上端部に設けられている。袋本体２１の天面部２４による袋容器２０の上端部には、注出口部材２３による注出口部２２を介して、ポンプディスペンサー３０を取りけることができる。
【００１６】
袋本体２１は、例えば、ＰＰ（ポリプロピレン）、ＰＥ（ポリエチレン）といったポリオレフィン樹脂、ＰＥＴ（ポリエチレンテレフタレート）などのポリエステル樹脂、ポリアミド樹脂、ナイロン樹脂等からなる合成樹脂製のフィルム材シート、合成樹脂製のフィルムとアルミニウム等の金属との積層体からなるフィルム材シート、或いは合成樹脂製のフィルムにアルミニウム等の金属を蒸着したフィルム材シート等、又はこれらの組み合わせからなる単層、若しくは多層の積層シートによって形成されているが、これらに制限されるものではない。第１実施形態では、公知の各種の方法により、天面シート２４ａと側面シート２５ａと底面シート２６ａとを接合することで、天面シート２４ａによる天面部２４と、側面シート２５ａによる側面部２５と、底面シート２６ａによる底面部２６とを含む、有底及び有天の縦長筒状の袋本体２１が形成されている。
【００１７】
なお、袋本体２１は、側面部を構成する正面シートの側部と背面シートの側部との間に２つ折りされた側面シートを挟み込むことによって形成される、ガセット形状等を備える袋本体であっても良い。また、袋本体２１は、天面シートや底面シートを含むものである必要は必ずしも無く、パウチ形状等を備える袋本体であっても良い。
【００１８】
袋本体２１の天面シート２４ａによる天面部２４に取り付けられる注出口部材２３は、図６（ａ）、（ｂ）に示すように、例えばＰＥ（ポリエチレン）、ＰＰ（ポリプロピレン）等のポリオレフィン樹脂、ＰＥＴ（ポリエチレンテレフタレート）などのポリエステル樹脂、ポリアミド樹脂、ポリ塩化ビニル、ポリスチレン、ポリ乳酸等の合成樹脂からなる公知の射出成形品であって、円筒形状の注出口部（口首部）２２と、注出口部２２の下端から外方に向かって平坦に延出する、好ましくは矩形状（正方形状を含む）の平面形状を備える接合プレート２３ａとを有している。注出口部材２３は、注出口部２２を、袋本体２１の天面部２４に設けられた貫通孔に挿通させるとともに、天面部２４の下面に接合プレート２３ａの上面を接合することによって、袋本体２１に取り付けられる（図５、図７参照）。
【００１９】
また、注出口部２２の外周部分には、外側に円環状に張り出して、二段の張出しフランジ２２ａ，２２ｂが、上下に間隔をおいて設けられている。これらの二段の張出しフランジ２２ａ，２２ｂの間の部分の注出口部２２は、張出しフランジ２２ａ，２２ｂよりも一回り小さな円形断面における、正方形状の接合プレート２３ａの各辺部に面した部分が直線状に面取りされた、略八角形の横断面形状を備える挿入スライド部２２ｃとなっている。下段の張出しフランジ２２ａよりも下方部分、及び上段の張出しフランジ２２ｂよりも上方部分の注出口部２２は、挿入スライド部２２ｃの面取りされた背向する一対の平行な面の間の横幅と同様の外径の、円筒形状の部分となっている。注出口部２２における上段の張出しフランジ２２ｂよりも上方の外周部分には、雄ネジ凸条２２ｄが設けられている。この雄ネジ凸条２２ｄに、ポンプディスペンサー３０の固定用キャップ部３１（図５参照）を螺着することにより、ポンプディスペンサー３０を、注出口部材２３による注出口部２２を介して袋本体２１の天面部２４に、取り付けることができるようになっている。
【００２０】
ポンプディスペンサー３０は、例えば実開平６−３９７５２号公報に記載のポンプ式吐出容器に使用したものと同様の構成を備える、ポンプ式のディスペンサーを用いることができる。ポンプディスペンサー３０は、固定用キャップ部３１、ポンプハウジング（図示せず）、吸上げ筒部（図示せず）、ノズルヘッド３３等を備えている。固定用キャップ部３１は、内側面に雌ネジ凸条が形成された円筒状部分を有しており、上述のように、外周部分に雄ネジ凸条２２ｄが形成された注出口部材２３による注出口部２２に螺着することによって、ポンプディスペンサー３０を袋本体２１の天面部２４に取り付け可能となっている。
【００２１】
ポンプディスペンサー３０のポンプハウジングは、内部に設けられたポンプ室を拡縮するピストン（図示せず）、ポンプ室と連通可能な吐出通路を備えるステム（図示せず）、ボール弁（図示せず）等を備える公知のものであり、ポンプハウジングから外部に突出するステムの端部には、ステムの吐出通路と連通するノズル部３３ａを備えたノズルヘッド（押圧操作部）３３が装着されている。ポンプディスペンサー３０のポンプハウジングによる吐出機構では、ノズルヘッド３３を押し下げることにより、ステムが往動してピストンが下降すると、そのピストンによって圧縮されたポンプ室内の内容液が、ステム内の吐出通路を経てノズル部３３ａから吐出される。他方、内容液の吐出後に、バネ等の付勢力等によりステムが復動すると、袋本体２１に収容された内容液が、吸上げ筒部を介して、ポンプハウジング内の減圧されたポンプ室に吸い込まれる。このようなノズルヘッド３３への押圧操作を所定回数行うことによって、必要量の内容液を袋本体２１から吸い上げて、ノズル部３３ａを介して吐出させることができるようになっている。
【００２２】
第１実施形態では、上端部に注出口部２３が設けられた可撓性容器である上述の袋容器２０と、組み合わせて用いる可撓性容器用ホルダー１０は、図１〜図３に示すように、袋容器２０の袋本体２１が収容される筒状収容部１１と、筒状収容部１１の上端部に着脱可能に取り付けられるスライドキャップ部１４とを含んで構成されている。
【００２３】
筒状収容部１１は、例えばＰＰ（ポリプロピレン）、ＡＢＳ（アクリロニトリル・ブタジエン・スチレン共重合合成樹脂）、アクリル、ＰＥＴ（ポリエチレンテレフタレート）、ＰＣＴ（ポリシクロへキシレン・ジメチレン・テレフタレート）などのポリエステル樹脂、ＳＡＮ（スチレンアクリロニトリルコポリマー）等の合成樹脂からなる射出成形品となっており、好ましくは一辺部の長さが５０〜７５ｍｍ程度の大きさの、矩形状（正方形状を含む）の平面形状を備えている。また筒状収容部１１は、好ましくは袋容器２０の袋本体２１の横断面形状よりも大きな、中空の矩形状（正方形状を含む）の横断面形状を有している。また筒状収容部１１は、底面部が開口面となった底抜き形状を備えると共に、上端部に上端開口面１１ａを備えており、四方の側面板１１ｂ、１１ｃ、１１ｄを矩形環状に連設させた角筒形状を有している。また筒状収容部１１は、袋容器２０の袋本体２１の底面部２６による底部から天面部２４までの高さと同様の、好ましくは１６５〜１７５ｍｍ程度の高さ（角部脚部１１ｅの下端から上端開口面１１ａまでの高さ、即ち角部脚部１１ｅの下端から一対のスライド外側面１２の上端までの高さ）を有するように形成されている。これらによって、筒状収容部１１は、注出口部２２を上端開口面１１ａよりも上方に突出させた状態で、袋本体２１の全体を、筒状収容部１１の内部に収容できるようになっている（図３参照）。
【００２４】
筒状収容部１１を形成する四方の側面板１１ｂ、１１ｃ、１１ｄは、背面部側面板１１ｂと、一対の側面部側面板１１ｃと、正面部側面板１１ｄとを含んで形成されている。各々の側面板１１ｂ、１１ｃ、１１ｄは、下端部から上方に向けて横幅を滑らかに減少させた、縦長の等脚台形状の正面形状を有している。筒状収容部１１の下端部には、四方の側面板１１ｂ、１１ｃ、１１ｄが接合される４箇所の角部分から下方に突出して、角部脚部１１ｅが設けられている。これらの角部脚部１１ｅを載置面に載置することによって、スライドキャップ部１４に注出口部２２を係止して袋容器２０が収容されている可撓性容器用ホルダー１０を、安定した状態で載置面から立設させると共に、ポンプディスペンサー３０のノズルヘッド３３への押圧力を、可撓性容器用ホルダー１０によって安定した状態で支持させることが可能になる。
【００２５】
第１実施形態では、四方の側面板１１ｂ、１１ｃ、１１ｄのうちの背面部側面板１１ｂの上端部は、他の三方の側面板１１ｃ、１１ｄの上端部よりも、僅かに高い位置まで延設して設けられている。背面部側面板１１ｂの上端部は、後述するスライドキャップ部１４が筒状収容部１１の上端部に一体として装着された際に、スライドキャップ部１４の側部開口面１４ａを閉塞する閉塞板部１１ｆとして機能する。背面部側面板１１ｂの上端部による閉塞板部１１ｆの上縁部からさらに上方に突出して、スライドキャップ部１４の天板部１６に形成されたＵ字状切欠き係止部１５への導入部１５ａを閉塞する、導入部閉塞部１１ｇが設けられている。導入部閉塞部１１ｇは、Ｕ字状切欠き係止部１５への導入部１５ａを挟んで両側に配置された、二段構造の係止フランジ１９ａ，１９ｂの端面も同時に覆うことができるように、閉塞板部１１ｆの上縁部の両端部を除いたこれらの両端部の間の部分に設けられている。
【００２６】
また、第１実施形態では、筒状収容部１１の上端部外周面を構成する、四方の側面板１１ｂ、１１ｃ、１１ｄのうちの一対の側面部側面板１１ｃの上端部に、筒状収容部１１の上端開口面１１ａを挟んだ両側に互いに平行に配置された、一対のスライド外側面１２が形成されている。スライド外側面１２は、一対の側面部側面板１１ｃの各々の上端部外側面において、段部１１ｈを介してこれらの下方部分よりも当該側面部側面板１１ｃの厚さ方向内面側に一段低くなるように形成された、横長矩形形状を備える平坦な面として設けられている。また、本実施形態では、これらの横長矩形形状のスライド外側面１２には、段部１１ｈが形成された各々の下端縁部に沿って、スライドキャップ部１４のスライド方向を案内する凹溝状の線状ガイド部１２ａが、上端開口面１１ａと平行に直線状に延設して、側面部側面板１１ｃの上端部の横幅方向の全長に亘って設けられている。
【００２７】
一対の側面部側面板１１ｃの上端部に各々設けられたスライド外側面１２には、後述するスライドキャップ部１４を筒状収容部１１の上端部に一体として取り付ける際に、スライドキャップ部１４の一対のスライド内側面１７が、当該スライド外側面１２に沿って、当該スライド外側面１２に重ね合わされるまでスライド移動する。一対のスライド外側面１２の各々の下端縁部に設けられた線状ガイド部１２ａには、後述するスライドキャップ部１４の一対のスライド内側面１７の各々の下端縁部に設けられた線状被ガイド部１７ａが係止される。これによって、線状ガイド部１２ａの方向に案内させながら、スライドキャップ部１４のスライド内側面１７を、筒状収容部１１の上端部のスライド外側面１２に沿って、安定した状態でスライド移動させることが可能になる。
【００２８】
さらに、第１実施形態では、四方の側面板１１ｂ、１１ｃ、１１ｄのうちの正面部側面板１１ｄの上端部に、側面部側面板１１ｃの段部１１ｈと同様の高さ位置に設けられた段部１１ｉを介して、これの下方部分よりも当該正面部側面板１１ｄの厚さ方向内面側に一段低くなるように形成された、横長矩形形状の平坦な重合せ外側面１１ｊが形成されている。この重合せ外側面１１ｊには、後述するスライドキャップ部１４が筒状収容部１１の上端部に一体として取り付けられた際に、スライドキャップ部１４の正面部側板部１４ｃが、密着するようにして重ね合わされる。
【００２９】
さらにまた、第１実施形態では、筒状収容部１１は、上述のように、角部脚部１１ｅの下端から一対のスライド外側面１２の上端までの高さが、袋容器２０の袋本体２１の底面部２６による底部から注出口部２２の下段の張出しフランジ２２ａの上面までの高さと、同様の高さを備えるように形成されている。これによって、後述するように、袋容器２０の袋本体２０が筒状収容部１１に予め収容されている場合に、スライドキャップ部１４を筒状収容部１１の上端部に対して横方向にスライド移動させて、Ｕ字状切欠き係止部１５に注出口部２２を押し込む際に、スライドキャップ部１４の位置合わせをスムーズに行うことが可能になって、スライドキャップ部１４を自然な動作で横方向にスライド移動させるだけの操作によって、注出口部２２を、Ｕ字状切欠き係止部１５に納めた状態で容易に係止することが可能になる。
【００３０】
また、第１実施形態では、筒状収容部１１は、上述のように、角部脚部１１ｅの下端から一対のスライド外側面１２の上端までの高さが、袋容器２０の袋本体２１の底面部２６による底部から注出口部２２の下段の張出しフランジ２２ａの上面までの高さと同様の、好ましくは１６５〜１７５ｍｍ程度の高さを有するように形成されており、筒状収容部１１の上端（一対のスライド外側面１２の上端）から２〜８ｍｍ下方の領域の内周面から、０．５〜２ｍｍの高さで内側に突出して、周方向に延設する内リブ１１ｋが設けられている。これによって、袋容器２０の袋本体２１が筒状収容部１１に収容された際に、内リブ１１ｋが設けられた高さ位置、又は内リブ１１ｋに近接する高さ位置に、袋本体２１の上端部に接合された注出口部材２３の接合プレート２３ａが配置されることで、筒状収容部１１の内部で袋本体２１が所定の方向を向くように、袋本体２１をスムーズに案内することが可能になる。
【００３１】
筒状収容部１１と共に可撓性容器用ホルダー１０を構成するスライドキャップ部１４は、筒状収容部１１と同様に、例えばＰＰ（ポリプロピレン）、ＡＢＳ（アクリロニトリル・ブタジエン・スチレン共重合合成樹脂）、アクリル、ポリエステル、ＰＣＴ（ポリシクロへキシレン・ジメチレン・テレフタレート）、ＳＡＮ（スチレンアクリロニトリルコポリマー）等の合成樹脂からなる射出成形品となっており、好ましくは一辺部の長さが５０〜７５ｍｍ程度の大きさの、矩形状（正方形状を含む）の平面形状を備えている。スライドキャップ部１４は、図２〜図４に示すように、筒状収容部１１の上端開口面１１ａよりも一回り大きな、矩形状（正方形状を含む）の平面形状を備える天板部１６と、天板部１６の三方の辺部から天板部１６に対して垂直下方に延設する、横長矩形形状を有する一対の側面部側板部１４ｂ及び正面部側板部１４ｃとを含んで形成されている。これらの側板部１４ｂ、１４ｃが下方に延設していない残りの一辺部の下方の側面領域は、側部開口面１４ａとなっている。これらによって、スライドキャップ部１４は、下端面及び側部開口面１４ａが開口していると共に、筒状収容部１１のスライド外側面１２の縦幅と同様の高さを備える、箱形形状を有するように成形されている。
【００３２】
ここで、スライドキャップ部１４の一対の側面部側板部１４ｂは、互いに平行に配置されて設けられており、これらの側面部側板部１４ｂの互いに対向する内側面が、筒状収容部１１の上端部の一対のスライド外側面１２の外幅と同様の内幅で平行に配置された、一対のスライド内側面１７となっている。各々のスライド内側面１７は、スライド外側面１２と同様の大きさ及び形状の、横長矩形形状を備える平坦な面として設けられている。また各々のスライド内側面１７には、これの下端縁部に沿って、突リブ状の線状被ガイド部１７ａが、天板部１６と平行に直線状に延設して、側面部側板部１４ｂの横幅方向の全長に亘って設けられている。線状被ガイド部１７ａは、上述のように、スライドキャップ部１４を筒状収容部１１の上端部に一体として取り付ける際に、筒状収容部１１のスライド外側面１２の線状ガイド部１２ａに係止される。これによって、スライドキャップ部１４のスライド内側面１７を、筒状収容部１１の上端部のスライド外側面１２に沿って、線状ガイド部１２ａの方向に案内させながら安定した状態でスライド移動させることが可能になる。
【００３３】
また、第１実施形態では、スライドキャップ部１４の側面部を構成する一対の側面部側板部１４ｂの各々の外側面に、間隔をおいて平行に配置されて縦方向に延設する、複数の滑止めリブ１４ｄが、好ましくはローレット加工を施すことによって形成されている。本実施形態では、滑止めリブ１４ｄは、例えば８〜１２ｍｍ程度の間隔をおいて設けられていることにより、幅広ローレットを形成している。各々の側面部側板部１４ｂの外側面に、複数の滑止めリブ１４ｄが設けられていることにより、例えばスライドキャップ部１４を横方向にスライド移動させる際に、指の腹部が滑り止めリブ１４ｄにひっかかることで、スムーズなスライド移動が可能になる。また複数の滑止めリブ１４ｄが幅広ローレットを形成していることにより、例えばスライドキャップ部１４を下方にスライド移動させる際に、指の腹部が滑り止めリブ１４ｄの間の平らな部分に大きな接触面積で接触することで、相当の摩擦力を確保して、袋容器２０が重たい場合であっても、手から滑らせることなくスライドキャップ部１４のスムーズなスライド移動が可能になる。
【００３４】
スライドキャップ部１４の正面部側板部１４ｃは、一対の側面部側板部１４ｂの側部開口面１４ａとは反対側の側縁部を連結して、これらの間の部分を仕切るようにして設けられる板状の部分となっている。正面部側板部１４ｃは、筒状収容部１１の正面部側面板１１ｄの上端部に形成された重合せ外側面１１ｊと、同様の大きさ及び形状を備えており、上述のように、スライドキャップ部１４を筒状収容部１１の上端部に一体として取り付けた際に、筒状収容部１１の重合せ外側面１１ｊの外側に密着するようにして重ね合わされる。
【００３５】
そして、第１実施形態では、スライドキャップ部１４の天板部１６には、下方の側面領域が側部開口面１４ａとなっている残りの一辺部から、これとは反対側の正面部側板部１４ｃが設けられた対向辺部に向けてＵ字形状に切り込まれた、Ｕ字状切欠き係止部１５が設けられている。Ｕ字状切欠き係止部１５は、下方が側部開口面１４ａとなっている一辺部の中央部分に、当該Ｕ字状切欠き係止部１５への導入部１５ａを開放させると共に、天板部１６の中央部を超えて対向辺部側の領域に至るまで、切り込まれた状態で設けられている。Ｕ字状切欠き係止部１５は、対向辺部側の端部が湾曲凹状に曲折した曲折端部１５ｂとなっており、この曲折端部１５ｂに袋容器２０の注出口部２２が至るまで、スライドキャップ部１４を注出口部２２に押し込んだ際に、注出口部２２は、天板部１６の中央部分に配置された状態で、Ｕ字状切欠き係止部１５に係止されて納められるようになっている（図１）。
【００３６】
第１実施形態では、注出口部２２がＵ字状切欠き係止部１５の曲折端部１５ｂに至って納められる領域が、Ｕ字状切欠き係止部１５における奥部収納部１５ｃとなっている。また本実施形態では、Ｕ字状切欠き係止部１５において注出口部２２が納められる奥部収納部１５ｃよりも導入部１５ａ側の部分には、Ｕ字状切欠き係止部１５の両側の側縁部から内側に各々突出して、乗越えリブ１５ｄが設けられている。Ｕ字状切欠き係止部１５の導入部１５ａから挿入されて、後述するストレートガイド部１５ｅによって案内されて乗越えリブ１５ｄに至った袋容器２０の注出口部２２は、乗越えリブ１５ｄを乗り越えることによって、適度なクリック感を伴いながら、Ｕ字状切欠き係止部１５の奥部収納部１５ｃに、係止された状態で納められることになる。
【００３７】
また、第１実施形態では、Ｕ字状切欠き係止部１５は、注出口部２２が係止された状態で納められる奥部収納部１５ｃよりも導入部１５ａ側の部分である、乗越えリブ１５ｄよりも導入部１５ａ側の部分に、両側の側縁部が注出口部２２の横幅と同様の間隔をおいて平行に延設する、ストレートガイド部１５ｅを備えている。本第１実施形態では、後述するように、注出口部２２に設けられた二段の張出しフランジ２２ａ，２２ｂが、Ｕ字状切欠き係止部１５の周縁部分に二段に配置された係止フランジ１９ａ，１９ｂの各々に、上方から係止されるようになっている。ストレートガイド部１５ｅは、注出口部２２の横幅と同様の間隔として、注出口部２２に設けられた二段の張出しフランジ２２ａ，２２ｂの間の部分の、略八角形の横断面形状を備える挿入スライド部２２ｃ（図６（ａ）、（ｂ）参照）における、直線状に面取りされた背向する一対の平行な面の間の横幅と同様の間隔をおいて、平行に延設して設けられている。
【００３８】
これによって、袋容器２０の注出口部２２は、斜めに倒れた状態で挿入されるのを回避しつつ、挿入スライド部２２ｃにおける背向する一対の平行な面をストレートガイド部１５ｅの側縁部に各々沿わせるようにして案内させながら、奥部収納部１５ｃに至るまで、安定した状態で誘導されてスライド移動するようになっている。このような観点から、Ｕ字状切欠き係止部１５のストレートガイド部１５ｅは、奥部収納部１５ｃから導入部１５ａ側に向けて、注出口部２２の横幅の５０％以上の長さ領域に設けられていることが好ましく、８０％以上の長さ領域に設けられていることが更に好ましい。また、Ｕ字状切欠き係止部１５のストレートガイド部１５ｅは、奥部収納部１５ｃから導入部１５ａ側に向けて、１０ｍｍ以上の長さ領域に設けられていることが好ましく、１５ｍｍ以上の長さ領域に設けられていることが更に好ましい。
【００３９】
さらに、第１実施形態では、スライドキャップ部１４の天板部１６に設けられたＵ字状切欠き係止部１５の周縁部分は、上述のように、二段に配置された係止フランジ１９ａ，１９ｂを備える二段構造を有している。すなわち、本実施形態では、天板部１６におけるＵ字状切欠き係止部１５の周縁部に沿った、Ｕ字状切欠き係止部１５の外周の例えば３〜５ｍｍ程度の幅の帯状領域が、下段の係止フランジ１９ａとして機能するようになっている。また、下段の係止フランジ１９ａと同様の帯状形状を備える上段の係止フランジ１９ｂを、これの外周縁部から下方に折れ曲がって設けられた支持脚部１９ｃを介して、天板部１６におけるＵ字状切欠き係止部１５の外周部分に支持させることで、下段の係止フランジ１９ａの上方に重ねるようにして配置する。これらによって、下段の係止フランジ１９ａの上方に、これと同様の帯状形状を備える上段の係止フランジ１９ｂが、注出口部２２の挿入スライド部２２ｃの高さ（二段の張出しフランジ２２ａ，２２ｂの間の間隔）と同様の間隔おいて並べて配置された、二段構造の係止フランジ１９ａ，１９ｂが天板部１６に設けられることになる。
【００４０】
第１実施形態では、二段に配置されたこれらの係止フランジ１９ａ，１９ｂは、同様の形状を備えており、各々の係止フランジ１９ａ，１９ｂが、Ｕ字状切欠き係止部１５の周縁部分を構成している。また少なくとも上段の係止フランジ１９ｂは、これらの内側に、各々、Ｕ字状切欠き係止部１５の奥部収納部１５ｃや、乗越えリブ１５ｄや、導入部１５ａと乗越えリブ１５ｄとの間のストレートガイド部１５ｅを備えている。さらに、少なくとも上段の係止フランジ１９ｂには、Ｕ字状切欠き係止部１５の乗越えリブ１５ｄよりも奥側の奥部収納部１５ｃの周縁部に、ストレートガイド部１５ｅの周縁部よりも一段高くなった、乗上げ段部１５ｆが設けられている。乗上げ段部１５ｆには、乗越えリブ１５ｄよりも導入部１５ａ側に設けられたスロープ部１５ｇを介して、注出口部２２の少なくとも上段の張出しフランジ２２ｂが乗り上げた状態で、注出口部２２が、奥部収納部１５ｃに係止された状態で納められるようになっている。少なくとも上段の係止フランジ１９ｂの乗越えリブ１５ｄよりも奥側の奥部収納部１５ｃの周縁部に、乗上げ段部１５ｆが設けられていることより、注出口部２２の少なくとも上段の張出しフランジ２２ｂを、より安定した状態で、奥部収納部１５ｃの上段の係止フランジ１９ｂに係止することが可能になる。
【００４１】
また、これらの二段の係止フランジ１９ａ，１９ｂには、注出口部２２に設けられた好ましくは二段の張出しフランジ２２ａ，２２ｂが、各々係止されても良い。すなわち、上段の係止フランジ１９ｂには、上段の張出しフランジ２２ｂが、上方から係止されると共に、下段の係止フランジ１９ａには、下段の張出しフランジ２２ａが、上方から係止される。またこれによって、二段の張出しフランジ２２ａ，２２ｂの間の挿入スライド部２２ｃは、上段の係止フランジ１９ｂによるＵ字状切欠き係止部１５の周縁部によって、背向する一対の平行な面の方向が規制された状態で、乗上げ段部１５ｆに向けてより安定した状態でスライド移動することが可能になる。
【００４２】
スライドキャップ部１４の天板部１６に設けられたＵ字状切欠き係止部１５の周縁部分が、二段に配置された係止フランジ１９ａ，１９ｂを有する二段構造を備えていることにより、Ｕ字状切欠き係止部１５の誤った位置に注出口部２２の張出しフランジ２２ａ，２２ｂが挿入されるのを回避して、Ｕ字状切欠き係止部１５の奥部収納部１５ｃまで、袋容器２０の注出口部２３をスムーズに誘導することが可能になる。
【００４３】
上述の構成を備える可撓性容器用ホルダー１０に、袋容器２０を取り付けるには、例えば図３に示すように、筒状収容部１１の上端部にスライドキャップ部１４を一体として装着するのに先立って、袋容器２０の袋本体２１を、注出口部２２を筒状収容部１１の上端開口面１１ａよりも上方に突出させた状態で、上端開口面１１ａから筒状収容部１１の内部に収容する。筒状収容部１１は、袋容器２０の袋本体２１の高さと略同様の高さを有すると共に、底抜き形状を備えているので、袋容器２０の袋本体２１を、筒状収容部１１を載置した載置面に着底させることによって、筒状収容部１１の上端開口面１１ａよりも注出口部２２を所定の高さで上方に突出させた状態で、筒状収容部１１の内部に収容することができる。
【００４４】
ここで、第１実施形態では、袋容器２０の袋本体２１の天面部２４の下面には、図７に示すように、注出口部材２３の接合プレート２３ａが接合されており、接合プレート２３ａは、筒状収容部１１の上端開口面１１ａの例えば正方形状の平面形状よりも一回り小さな、正方形状の平面形状を有している。これによって、袋容器２０の袋本体２１を、上端開口面１１ａから筒状収容部１１の内部に収容する際に、袋本体２１の上端部の方向を簡易に規制することが可能になる。例えば、袋本体２１が筒状収容部１１に斜めに挿入された場合でも、好ましくは袋本体２１の上端部に取り付けられた、注出口部２２の挿入スライド部２２ｃの背向する一対の平行な面が、筒状収容部１１の上端部のスライド外側面１２と平行な方向に沿うように、袋本体２１の上端部をスムーズに位置決めすることが可能になる。特に、第１実施形態では、筒状収容部１１の上端（一対のスライド外側面１２の上端）から２〜８ｍｍ下方の領域の内周面から、０．５〜２ｍｍの高さで内側に突出して、周方向に延設する内リブ１１ｋが設けられている（図２参照）。これによって、袋容器２０の袋本体２１が筒状収容部１１に収容された際に、内リブ１１ｋが設けられた高さ位置、又は内リブ１１ｋに近接する高さ位置に、注出口部材２３の接合プレート２３ａが配置されるようになっているので、例えば袋本体２１が筒状収容部１１に斜めに挿入された場合でも、接合プレート２３ａの方向をより効果的に規制して、袋本体２１の上端部をさらにスムーズに位置決めすることが可能になる。
【００４５】
袋容器２０の袋本体２１を筒状収容部１１の内部に収容したら、スライドキャップ部１４をスライドさせながら、筒状収容部１１の上端部に一体として取り付ける。すなわち、図３に示すように、スライドキャップ部１４の側部開口面１４ａを、筒状収容部１１の正面部側面板１１ｄの上端部に設けられた重合せ外側面１１ｊに対向させると共に、一対のスライド内側面１７の各々の下端縁部に設けられた線状被ガイド部１７ａを、筒状収容部１１の一対のスライド外側面１２の各々の下端縁部に設けられた線状ガイド部１２ａに係止して案内させながら、両側のスライド内側面１７を両側のスライド外側面１２に沿って各々重ね合わせるようにして、スライドキャップ部１４を筒状収容部１１の上端部に対して横方向にスライド移動させる。スライドキャップ部１４を横方向にスライド移動させる際に、袋容器２０の注出口部２２は、筒状収容部１１の上端開口面１１ａよりも所定の高さで上方に突出した状態となっているので、二段の張出しフランジ２２ａ，２２ｂの高さ位置を適宜調整して、上段の張出しフランジ２２ｂが上段の係止フランジ１９ｂに、下段の張出しフランジ２２ａが下段の係止フランジ１９ａに各々上方から係止されるようにしながら、注出口部２２を、導入部１５ａを介してＵ字状切欠き係止部１５の内側に導入する。
【００４６】
しかる後に、スライドキャップ部１４を横方向にさらにスライド移動させて、スライドキャップ部１４の側部開口面１４ａが、筒状収容部１１の背面部側面板１１ｂの上端部の閉塞板部１１ｆに至ると、側部開口面１４ａは、閉塞板部１１ｆによって覆われて、閉塞されることになると共に、Ｕ字状切欠き係止部１５への導入部１５ａや、導入部１５ａを挟んで両側に配置された二段構造の係止フランジ１９ａ，１９ｂの端面は、閉塞板部１１ｆの上縁部からさらに上方に突出して設けられた導入部閉塞部１１ｇによって覆われて、閉塞されることになる。またこれによって、注出口部２２は、Ｕ字状切欠き係止部１５に押し込まれ、乗越えリブ１５ｄを乗り越えて、奥部収納部１５ｃの納められた状態で係止されると共に、天板部１６の中央部分に配置された状態となる。
【００４７】
これらによって、第１実施形態によれば、スライドキャップ部１４をスライドさせながら筒状収容部１１の上端部に装着し、筒状収容部１１の一対のスライド外側面１２とスライドキャップ部１４の一対のスライド内側面１７とを重ね合わせた状態とすることで、Ｕ字状切欠き係止部１５に係止した注出口部２２を天板部２４から上方に突出させて、袋容器２０の袋本体２１の全体が、スライドキャップ部１４の天板部１６によって上端開口面１１ａが覆われた筒状収容部１１の内部に収容されることになる。
【００４８】
袋本体２１の全体が筒状収容部１１の内部に収容された袋容器２０の、天板部１６から上方に突出する注出口部２２には、上述の構成を備えるポンプディスペンサー３０が、着脱可能に装着されて用いられる。ポンプディスペンサー３０のノズルヘッド３３に負荷される押圧力は、スライドキャップ部１４と筒状収容部１１とが一体となった可撓性容器用ホルダー１０によって、支持されることになる。
【００４９】
また、第１実施形態では、可撓性容器用ホルダー１０に袋容器２０を取り付ける操作は、図８に示すように、スライドキャップ部１４のＵ字状切欠き係止部１５に注出口部２２を押し込むことにより係止して、袋容器２０をスライドキャップ部１４から吊り下げるようにした状態で、上端開口面１１ａを介して上方から筒状収容部１１の内部に袋本体２１を挿入することによって行うこともできる。すなわち、スライドキャップ部１４の一対のスライド内側面１７を、筒状収容部１１の一対のスライド外側面１２に各々重ね合わせるようにしながら、袋容器２０を吊り下げたスライドキャップ部１４を、筒状収容部１１の上端部のスライド外側面１２に沿って、下端縁部に設けられた線状被ガイド部１７ａが、スライド外側面１２の下端縁部に設けられた線状ガイド部１２ａに係止されるまで下方にスライド移動させる。スライド内側面１７が形成されたスライドキャップ部１４の一対の側面部側板部１４ｂは、一方の側縁部が側部開口面１４ａと各々連接していることにより、外側に広がるようにして弾性変形可能となっている。これによって、突リブ状の線状被ガイド部１７ａをスライド外側面１２に乗り上げさせながら、スライドキャップ部１４をスライド外側面１２に沿って、下方にスライド移動させることが可能になる。
【００５０】
線状被ガイド部１７ａが、筒状収容部１１のスライド外側面１２の線状ガイド部１２ａに係止されるまで、スライドキャップ部１４を下方にスライドさせることにより、スライドキャップ部１４の側部開口面１４ａは、筒状収容部１１の背面部側面板１１ｂの上端部による閉塞板部１１ｆによって閉塞されることになる。また袋容器２０の袋本体２１の全体が、Ｕ字状切欠き係止部１５に係止した注出口部２２を天板部２４から上方に突出させた状態で、スライドキャップ部１４の天板部１６によって上端開口面１１ａが覆われた筒状収容部１１の内部に収容されることになる。
【００５１】
さらに、第１実施形態では、可撓性容器用ホルダー１０に袋容器２０を取り付ける操作は、スライドキャップ部１４のＵ字状切欠き係止部１５に注出口部２２を押し込むことにより係止して、袋容器２０をスライドキャップ部１４から吊り下げるようにした状態で、上端開口面１１ａを介して上方から筒状収容部１１の内部に袋本体２１を挿入すると共に、スライド内側面１７の下端縁部に設けられた線状被ガイド部１７ａが、スライド外側面１２の下端縁部に設けられた線状ガイド部１２ａに係止されるまで、スライドキャップ部１４をスライド外側面１に沿って斜め下方にスライド移動させることによって行うこともできる。また、可撓性容器用ホルダー１０に袋容器２０を取り付ける操作は、例えば袋容器２０の袋本体２１を筒状収容部１１の内部に半分程度挿入した状態で、注出口部２２をスライドキャップ部１４のＵ字状切欠き係止部１５に押し込むことにより係止して、袋容器２０にスライドキャップ部１４を取り付けた状態で、スライド内側面１７の下端縁部に設けられた線状被ガイド部１７ａが、スライド外側面１２の下端縁部に設けられた線状ガイド部１２ａに係止されるまで、スライドキャップ部１４をスライド外側面１に沿ってスライド移動させることによって行うこともできる。
【００５２】
これらによって、第１実施形態によれば、袋本体２１に設けられた注出口部２２をＵ字状の係止切欠き部１５に係止する操作を、簡易に行えるようにすることが可能になると共に、袋本体２１の全体をホルダー１０の内部にスムーズに収容して、全体の意匠性を向上させることが可能になる。
【００５３】
また、第１実施形態では、筒状収容部１１は、可撓性を備えるシート材料を用いて形成された袋容器２０の袋本体２１の全体を覆って設けられており、筒状収容部１１は、保形剛性を備える四方の側面板１１ｂ、１１ｃ、１１ｄによって形成されているので、これらの四方の側面板１１ｂ、１１ｃ、１１ｄの好ましくは全体を覆って、例えば加飾シートを取り付けることにより、筒状収容部１１の外周面に立体加飾模様を施して、加飾性や意匠性に優れた製品として可撓性容器用ホルダー１０を形成することもできる。筒状収容部１１の外周面に立体加飾模様を施すための加飾シートとして、例えば特願２０１７−１８１８０６に記載された、合成樹脂素材を用いて一体成形された、シート状基部と、シート状基部の表側の面から突出する立体加飾部とを含んで構成される加飾用シートを用いることができる。特願２０１７−１８１８０６に記載の加飾用シートは、シート状基部と立体加飾部とが、同一の合成樹脂素材を用いて形成されており、シート状基部は、湾曲可能な５０〜１０００μｍの厚さを備えている。立体加飾部は、中実の立体形状を備えており、突出方向先端部の、シート状基部の表側の面からの高さが、シート状基部の厚さ以上の高さとなっている。
【００５４】
このような加飾用シートは、射出成形によって立体模様をより厚く作製することが可能になるので、筒状収容部１１の外周面に取り付けることにより、例えば立体模様の稜線がシャープなダイヤモンド調のブリリアントカットの乱反射による光表現が可能になる。これによって、筒状収容部１１の外周面に、さらに多彩な凹凸模様を形成することが可能になると共に、立体模様に稜線がシャープな部分となだらかな部分の両者が混在する、多彩な表現を施すことが可能になる。またこれによって、ホルダー１０の全周に、奥行感と輝度感を備える立体模様を表現することが可能になる。
【００５５】
さらに、第１実施形態では、筒状収容部１１は、底面が開口面となった底抜き形状を備えているので、ホルダー１０の内部に水が侵入しても、侵入した水を溜めることなく、速やかに水切りして排除することが可能になる。
【００５６】
図９は、本発明の好ましい第２実施形態に係る袋容器用ホルダー５０の要部を示すものである。図９に示す第２実施形態の袋容器用ホルダー５０は、上記の第１実施形態の袋容器用ホルダー１０と略同様の構成を備えているが、スライドキャップ部のＵ字状切欠き係止部の周縁部分の係止フランジの形態、及び筒状収容部の上端部の形態が、上記の第１実施形態の袋容器用ホルダー１０のものと相違している。なお、図９に示す第２実施形態の袋容器用ホルダー５０に関して、上記の第１実施形態の袋容器用ホルダー１０と異なる構成部分について主として説明し、同様の構成部分については同一の符号を付して説明を省略している。特に言及しない構成部分については、上記の第１実施形態の袋容器用ホルダー１０に関する説明が適宜適用される。
【００５７】
第２実施形態に係る袋容器用ホルダー５０は、第１実施形態の袋容器用ホルダー１０と同様に、袋容器２０の袋本体２１が収容される筒状収容部５１と、袋容器２０の注出口部（口首部）２２の張出しフランジ２２ａ，２２ｂが係止されるＵ字状切欠き係止部５５を天板部５６に備えると共に、筒状収容部５１の上端部外周面に沿ってスライドして筒状収容部５１の上端部に着脱可能に一体として取り付けられる、スライドキャップ部５４とを含んで構成されている。筒状収容部５１の上端部外周面は、筒状収容部５１の上端開口面５１ａを挟んだ両側に互いに平行に配置された、一対のスライド外側面５２を備えている。スライドキャップ部５４は、図１０にも示すように、一対のスライド外側面５２の外幅と同様の内幅で互いに平行に配置された、一対のスライド内側面５７を備える内周面形状を有していると共に、天板部５６のＵ字状切欠き係止部５５への導入部５５ａが形成された一辺部の下方の側面領域が、側部開口面５４ａとなっている。
【００５８】
筒状収容部５１は、第１実施形態の袋容器用ホルダー１０の筒状収容部１１と同様に、四方の側面板１１ｂ、１１ｃ、１１ｄを矩形環状に連設させた角筒形状を有しており、四方の側面板１１ｂ、１１ｃ、１１ｄは、背面部側面板１１ｂと、一対の側面部側面板１１ｃと、正面部側面板１１ｄとを含んでいる。また、筒状収容部５１の上端部外周面を構成する一対の側面部側面板１１ｃの上端部に、筒状収容部５１の上端開口面５１ａを挟んだ両側に互いに平行に配置された、一対のスライド外側面５２が形成されている。スライド外側面５２は、一対の側面部側面板１１ｃの各々の上端部外側面において、段部１１ｈを介してこれらの下方部分よりも当該側面部側面板１１ｃの厚さ方向内面側に一段低くなるように形成された、横長矩形形状を備える平坦な面として設けられている。また、第２実施形態では、これらの横長矩形形状のスライド外側面５２に、背面部側面板１１ｂの上端部による閉塞板部１１ｆとの接続角部分に沿って、凹溝状の線状ガイド係止部５１ｂが設けられている。凹溝状の線状ガイド係止部５１ｂは、閉塞板部１１ｆとは反対側に隣接して配置された凸状の線状マウンド部５１ｃと共に、縦方向に直線状に延設して、スライド外側面５２の縦幅方向の全長に亘って設けられている。
【００５９】
さらに、筒状収容部５１の上端部外周面を構成する正面部側面板１１ｄの上端部には、第１実施形態の袋容器用ホルダー１０の筒状収容部１１と同様に、側面部側面板１１ｃの段部１１ｈと同様の高さ位置に設けられた段部１１ｉを介して、これの下方部分よりも当該正面部側面板１１ｄの厚さ方向内面側に一段低くなるように形成された、横長矩形形状の平坦な重合せ外側面１１ｊが形成されている。第２実施形態では、この重合せ外側面１１ｊの下端縁部に沿った段部１１ｉの中央部分を下方に凹状に切り欠くようにして、嵌込み凹部５１ｄが形成されている。この嵌込み凹部５１ｄには、被係合爪５１ｅが配置されている。この被係合爪５１ｅには、スライドキャップ部５４が筒状収容部５１の上端部に一体として装着された際に、スライドキャップ部５４の正面部側板部５４ｃの中央部分から下方に突出して設けられた嵌込み凸部５４ｆの内側に配置された、係合爪５４ｇ（図１０参照）が係合されることになる。
【００６０】
さらにまた、第２実施形態では、図９に示すように、第１実施形態の筒状収容部１１と同様に、筒状収容部５１の上端（一対のスライド外側面５２の上端）から２〜８ｍｍ下方の領域の内周面から、０．５〜２ｍｍの高さで内側に突出して、周方向に延設する内リブ１１ｋが設けられている。これによって、袋容器として、好ましくは図１１に示すような、袋本体２１’の上端部に形成された環状シール部２１ａ’が、正面側の側面シート２５ａ’の上端縁部及び天面シート２４ａ’の一方の端縁部をシールすると共に、背面側の側面シート２５ａ’の上端縁部及び天面シート２４ａ’の他方の端縁部をシールして形成されたシール部２１ｂ’，２１ｂ’を有しており、これらのシール部２１ｂ’，２１ｂ’が、上方に向けて凸となる台形状に屈曲している袋容器２０’を用いた場合に、当該袋容器２０’の袋本体２１’を、筒状収容部５１の内部に収容する際に、これらの台形状のシール部２１ｂ’，２１ｂ’の斜辺部２１ｃ’，２１ｃ’や、斜辺部２１ｃ’，２１ｃ’の下端接合角部２１ｄ’を、筒状収容部５１の上端内側の内リブ１１ｋに沿わせるようにすることが可能になる。これによって、筒状収容部５１の内部で袋本体２１’が所定の方向を向くように、袋本体２１’をスムーズに案内することが可能になると共に、例えば筒状収容部５１に袋本体２１’が斜めに挿入された場合でも、袋本体２１’の方向をより効果的に規制して、袋本体２１’の上端部をさらにスムーズに位置決めすることが可能になる。
【００６１】
第２実施形態の袋容器用ホルダー５０を構成するスライドキャップ部５４は、図９及び図１０に示すように、第１実施形態の袋容器用ホルダー１０のスライドキャップ部１４と同様に、天板部５６と、天板部５６の三方の辺部から天板部５６に対して垂直下方に延設する、横長矩形形状を有する一対の側面部側板部５４ｂ及び正面部側板部５４ｃとを含んで形成されている。これらの側板部５４ｂ、５４ｃが下方に延設していない残りの一辺部の下方の側面領域は、側部開口面５４ａとなっている。スライドキャップ部５４の一対の側面部側板部５４ｂは、互いに平行に配置されて設けられており、これらの側面部側板部５４ｂの互いに対向する内側面が、筒状収容部５１の上端部の一対のスライド外側面５２の外幅と同様の内幅で平行に配置された、一対のスライド内側面５７となっている。また各々のスライド内側面５７には、これの側部開口面５４ａ側の端縁部に沿って、突リブ状の線状被ガイド係止部５４ｄが、直線状に延設して、側面部側板部５４ｂの縦幅方向の全長に亘って設けられている。線状被ガイド係止部５４ｄは、スライドキャップ部５４を筒状収容部５１の上端部に一体として取り付ける際に、筒状収容部５１のスライド外側面５２の凹溝状の線状ガイド係止部５１ｂに係止される。
【００６２】
また、スライドキャップ部５４の正面部側板部５４ｃには、これの中央部分に、縦幅方向に延設する帯状肉厚部５４ｅが形成されていても良い。帯状肉厚部５４ｅは、これの下端部が、正面部側板部５４ｃの下端縁部よりも下方に突出していても良い。正面部側板部５４ｃ、又は帯状肉厚部５４ｅの下方に突出する部分が、筒状収容部５１の正面部側面板１１ｄの上端部に形成された重合せ外側面１１ｊの下端縁部の嵌込み凹部５１ｄに嵌め込まれる、嵌込み凸部５１ｆを形成している。嵌込み凸部５１ｆの内側面には、重合せ外側面１１ｊの嵌込み凹部５１ｄに設けられた被係合爪５１ｅに係合される、係合爪５１ｇが形成されている。
【００６３】
そして、第２実施形態の袋容器用ホルダー５０のスライドキャップ部５４には、第１実施形態のスライドキャップ部１４と同様に、天板部５６における下方の側面領域が側部開口面５４ａとなっている一辺部から、これとは反対側の正面部側板部５４ｃが設けられた対向辺部に向けてＵ字形状に切り込まれた、Ｕ字状切欠き係止部５５が形成されている。Ｕ字状切欠き係止部５５の周縁部分は、袋容器２０，２０’の注出口部２２，２２’に円環状に張り出して設けられた二段の張出しフランジ２２ａ，２２ｂ，２２ａ’，２２ｂ’（図７、図１１参照）のうちの、上段の張出しフランジ２２ｂ，２２ｂ’が係止される、係止フランジ５８を形成している。またＵ字状切欠き係止部５５の周縁部分の係止フランジ５８には、Ｕ字状切欠き係止部５５の延設方向に延設するスペーサリブ５９が、袋容器２０，２０’の注出口部２２，２２’の二段のフランジ２２ａ，２２ｂ，２２ａ’，２２ｂ’の上下の間隔に応じた突出高さで、下面から下方に突出して設けられている。
【００６４】
第２実施形態では、係止フランジ５８は、Ｕ字状切欠き係止部５５の周縁部分の例えば３〜５ｍｍ程度の幅の帯状領域を、当該帯状領域の外周部分の段差スロープ部５８ａを介して持ち上げるようにすることで、天板部５６の上面よりも１段高く配置された状態で設けても良い。係止フランジ５８には、第１実施形態の係止フランジ１９ａ，１９ｂと同様に、これの内側に、Ｕ字状切欠き係止部５５の奥部収納部５５ｂや、乗越えリブ５５ｃや、導入部５５ａと乗越えリブ５５ｃとの間のストレートガイド部５５ｄを備えている。また、係止フランジ５８には、Ｕ字状切欠き係止部５５の乗越えリブ５５ｃよりも奥側の奥部収納部５５ｂの周縁部に、ストレートガイド部５５ｄの周縁部よりも一段高くなった、乗上げ段部５５ｅが設けられている。乗上げ段部５５ｅには、袋容器２０，２０’の注出口部２２，２２’をスライドキャップ部５４のＵ字状切欠き係止部５５の奥部収納部５５ｂまで押し込んだ際に、乗越えリブ５５ｃよりも導入部５５ａ側に設けられたスロープ部５５ｆを介して注出口部２２，２２’の上段の張出しフランジ２２ｂ，２２ｂ’が乗り上げた状態で、注出口部２２、２２’が、奥部収納部５５ｂに係止された状態で納められるようになっている。
【００６５】
スペーサリブ５９は、袋容器２０、２０’の注出口部２２，２２’を、上段の張出しフランジ２２ｂ，２２ｂ’を係止フランジ５８に上方から係止しながらＵ字状切欠き係止部５５に押し込んで行く際に、下端面を下段の張出しフランジ２２ａ，２２ａ’の上面に当接させる。これによってスペーサリブ５９は、係止フランジ５８の上面と、下段の張出しフランジ２２ａ，２２ａ’の上面との間に、注出口部２２，２２’の上段の張出しフランジ２２ｂ，２２ｂ’と下段の張出しフランジ２２ａ，２２ａとの間の間隔と同等の、所定の間隔を保持するスペーサとして機能するようになっている。スペーサリブ５９の下端面を、下段の張出しフランジ２２ａ，２２ａ’の上面に当接させながら、袋容器２０、２０’の注出口部２２，２２’をＵ字状切欠き係止部５５に押し込んで行くことにより、上段の張出しフランジ２２ｂ，２２ｂ’の下面を係止フランジ５８の上面に強固に密着させて、より安定した状態で、袋容器２０、２０’の注出口部２２，２２’を、スライドキャップ部５４のＵ字状切欠き係止部５５に係止することが可能になる。
【００６６】
また、第２実施形態では、スペーサリブ５９におけるＵ字状切欠き係止部５５の導入部５５ａ側の端部に、傾斜スロープ部５９ａが設けられている。第２実施形態では、傾斜スロープ部５９ａは、斜め下方に向けて凸の状態で緩やかに湾曲する、湾曲傾斜部となっている。スペーサリブ５９の導入部５５ａ側の端部に、傾斜スロープ部５９ａが設けられていることにより、スペーサリブ５９の下端面を、下段の張出しフランジ２２ａ，２２ａ’の上面にスムーズに乗り上げさせて、袋容器２０、２０’の注出口部２２，２２’を、Ｕ字状切欠き係止部５５の奥部収納部５５ｂに向けて安定した状態で押し込んで行くことが可能になる。
【００６７】
上述の構成を備える第２実施形態の袋容器用ホルダー５０によれば、第１実施形態の袋容器用ホルダー１０と同様に、例えばスライドキャップ部５４のＵ字状切欠き係止部５５に注出口部２２，２２’を押し込むことにより係止して、袋容器２０，２０’をスライドキャップ部５４から吊り下げるようにした状態で、上端開口面５１ａを介して上方から筒状収容部５１の内部に袋本体２１，２１’を挿入すると共に、スライドキャップ部５４の線状被ガイド係止部５４ｂｄを筒状収容部５１の線状ガイド係止部５１ｂに係止した状態で、スライドキャップ部５４の嵌込み凸部５４ｆの係合爪５４ｇが、筒状収容部５１の嵌込み凹部５１ｄの被係合爪５１ｅに係合されるまで、スライドキャップ部５４を筒状収容部５１のスライド外側面５２に沿って下方にスライド移動させることにより、袋本体２１，２１’の全体を、注出口部２２，２２’を天板部５６から上方に突出させた状態で、袋容器２０，２０’を筒状収容部５１の内部に収容することができる。
【００６８】
また、袋容器２０，２０’の袋本体２１，２１’を、注出口部２２，２２’を筒状収容部５１の上端開口面５１ａよりも上方に突出させた状態で、上端開口面５１ａから筒状収容部５１の内部に収容した後に、スライドキャップ部５４を筒状収容部５１のスライド外側面５２に沿って横方向にスライド移動させたり、袋容器２０，２０’を吊り下げたスライドキャップ部５４を、スライドキャップ部５４の係合爪５４ｇが、筒状収容部５１の被係合爪５１ｅに係合されるまで、スライドキャップ部５４を筒状収容部５１のスライド外側面５２に沿って斜め下方にスライド移動させたりすることによって、袋本体２１，２１’の全体を、注出口部２２，２２’を天板部５４から上方に突出させた状態で、袋容器２０，２０’を筒状収容部５１の内部に収容することもできる。
【００６９】
これらによって、第２実施形態の袋容器用ホルダー５０によれば、第１実施形態の袋容器用ホルダー１０と同様に、袋本体２１，２１’に設けられた注出口部２２，２２’をＵ字状の係止切欠き部５５に係止する操作を、簡易に行えるようにすることが可能になると共に、袋本体２１，２１’の全体をホルダー５０の内部にスムーズに収容して、全体の意匠性を向上させることが可能になる。
【００７０】
なお、本発明は、上記の各実施形態に限定されることなく種々の変更が可能である。例えば、可撓性容器用ホルダーと組み合わせて用いる注出口部が設けられた可撓性容器は、可撓性を備えるシート材料を用いて形成された袋容器である必要は必ずしもなく、薄肉容器等の、その他の種々の可撓性を備える容器であっても良い。筒状収容部やスライドキャップ部は、矩形状の平面形状を備えている必要は必ずしもなく、例えば半長円形状等の、一対のスライド外側面や一対のスライド内側面を形成可能なその他の種々の平面形状を備えていても良い。スライド外側面の下端縁部やスライド内側面の下端縁部に、線状ガイド部や線状被ガイド部が設けられていなくても良い。スライドキャップ部を筒状収容部の上端部に係止させる係止手段は、例えば図１２に示すように、スライドキャップ部５４の一対の側面部側板部５４ｂに設けられた、内側面に係合爪を備える弾性変形可能な押ボタン部５４ｈと、スライド外側面５２を形成する筒状収容部５１の一対の側面部側面板１１ｃの上端部に設けられた、外側面に被係合爪を備える弾性変形可能なヘラ板部１１ｋとからなるものであっても良い。
【符号の説明】
【００７１】
１０，５０  可撓性容器用ホルダー
１１，５１  筒状収容部
１１ａ，５１ａ  上端開口面
１１ｂ  正面部側面板
１１ｃ  側面部側面板
１１ｄ  背面部側面板
１１ｅ  角部脚部
１１ｆ  閉塞板部
１１ｇ  導入部閉塞部
１１ｊ  重合せ外側面
１１ｋ  内リブ
１２，５２  スライド外側面
１２ａ  線状ガイド部
１４，５４  スライドキャップ部
１４ａ，５４ａ  側部開口面
１４ｂ，５４ｂ  側面部側板部
１４ｃ，５４ｃ  背面部側板部
１４ｄ  滑止めリブ
１５，５５  Ｕ字状切欠き係止部
１５ａ，５５ａ  導入部
１５ｂ  曲折端部
１５ｃ，５５ｂ  奥部収納部
１５ｄ，５５ｃ  乗越えリブ
１５ｅ，５５ｄ  ストレートガイド部
１５ｆ，５５ｅ  乗上げ段部
１５ｇ，５５ｆ  スロープ部
１６，５６  天板部
１７，５７  スライド内側面
１７ａ  線状被ガイド部
１９ａ  下段の係止フランジ
１９ｂ  上段の係止フランジ
１９ｃ  支持脚部
２０，２０’  袋容器（可撓性容器）
２１，２１’  袋本体（容器本体）
２２，２２’  注出口部（口首部）
２２ａ,２２ａ’  下段の張出しフランジ
２２ｂ,２２ｂ’  上段の張出しフランジ
２２ｃ  挿入スライド部
２２ｄ  雄ネジ凸条
２３  注出口部材
２３ａ  接合プレート
２４  天面部
２５  側面部
２６  底面部
３０  ポンプディスペンサー
３１  固定用キャップ部
３３  ノズルヘッド
５８  係止フランジ
５９  スペーサリブ
５９ａ  傾斜スロープ部
【図１】
2019172273.tif 000003
【図２】
2019172273.tif 000004
【図３】
2019172273.tif 000005
【図４】
2019172273.tif 000006
【図５】
2019172273.tif 000007
【図６】
2019172273.tif 000008
【図７】
2019172273.tif 000009
【図８】
2019172273.tif 000010
【図９】
2019172273.tif 000011
【図１０】
2019172273.tif 000012
【図１１】
2019172273.tif 000013
【図１２】
2019172273.tif 000014